(57)【要約】【課題】記憶済みの記録媒体を自動的に排出する情報記憶装置を提供すること。【解決手段】情報記憶装置１００は、記録媒体１０４から取得されたコンテンツ情報および当該記録媒体１０４の識別情報を記憶する記憶部１０３を備えている。さらに、情報記憶装置１００は、複数の記録媒体１０４を装填するとともに、装填した複数の記録媒体のうちの一の記録媒体に記録されているコンテンツ情報を読み出す読み出し装置１０１を制御する制御部１０２を備えている。制御部１０２は、読み出し装置１０１に装填されている記録媒体１０４からコンテンツ情報を読み出す場合に、記録媒体１０４の識別情報を取得し、識別情報が記憶部１０３に既に記憶されている識別情報と同一である場合には、取得した識別情報に対応する記録媒体１０４を読み出し装置１０１から排出するように制御する。【選択図】図１
2007280532.tif 000002
【特許請求の範囲】
【請求項１】
記録媒体から取得されたコンテンツ情報および当該記録媒体の識別情報を記憶する記憶手段を備える情報記憶装置であって、
複数の記録媒体を装填するとともに、装填した複数の記録媒体のうちの一の記録媒体に記録されているコンテンツ情報を読み出す読み出し装置を制御する制御手段を備え、
前記制御手段は、前記読み出し装置に装填されている記録媒体からコンテンツ情報を読み出す場合に、
さらに、当該装填されている記録媒体の識別情報を取得し、取得した識別情報が前記記憶手段に既に記憶されている識別情報と同一である場合には、当該取得した識別情報に対応する記録媒体を前記読み出し装置から排出するように前記読み出し装置を制御することを特徴とする情報記憶装置。
【請求項２】
前記制御手段は、さらに、前記取得した識別情報が前記記憶手段に既に記憶されている識別情報と異なる場合には、前記読み出し装置を制御して、当該取得した識別情報に対応する記録媒体からコンテンツ情報を読み出し、読み出したコンテンツ情報および前記識別情報を前記記憶手段に記憶させることを特徴とする請求項１に記載の情報記憶装置。
【請求項３】
記録媒体から取得されたコンテンツ情報および当該記録媒体の識別情報を記憶する記憶手段を備える情報記憶装置における記憶制御方法であって、
複数の記録媒体が装填された読み出し装置が前記装填された複数の記録媒体のうちの一の記録媒体に記録されているコンテンツ情報を読み出す際に、前記記録媒体の識別情報を取得する取得工程と、
前記取得工程で取得された識別情報が前記記憶手段に既に記憶されている識別情報と同一である場合には、当該取得した識別情報に対応する記録媒体を前記読み出し装置から排出する排出工程と、
を含むことを特徴とする記憶制御方法。
【請求項４】
請求項３に記載の記憶制御方法をコンピュータに実行させることを特徴とする記憶制御プログラム。
【請求項５】
請求項４に記載の記憶制御プログラムをコンピュータに読み取り可能に記録したことを特徴とする記録媒体。
【発明の詳細な説明】
【技術分野】
【０００１】
この発明は、記録媒体から取得されたコンテンツ情報および当該記録媒体の識別情報を記憶する情報記憶装置、記憶制御方法、記憶制御プログラムおよび記録媒体に関する。
【背景技術】
【０００２】
従来、カーステレオ装置は、たとえば、ディスクチェンジャーを設けて、ディスクチェンジャー内の各ディスクについてディスク単位であるいはオーディオデータ単位で大容量メモリへの記憶指示を受け付ける。たとえば、ＨＤＤ内のＨＤへの記憶が指示されたときには、コピーを指示された楽曲データごとに、その拡張情報と、大容量メモリに記憶済みの各楽曲データの拡張情報とを照合して、同一性の有無を判定する。このとき、判定結果が同一性ありであれば、その楽曲データについて、大容量メモリへの記憶を中止するか、あるいは同一性がある旨の表示をして記憶するか否かの指示を求めるようにする。このような処理をおこなうことで、ディスクチェンジャー内に搭載されている記憶済みのディスクや、同じ楽曲データが重複して記憶されないようにする技術が開示されている（たとえば、下記特許文献１参照。）。
【０００３】
【特許文献１】特開２００４−７０９９８号公報
【発明の開示】
【発明が解決しようとする課題】
【０００４】
しかしながら、特許文献１に記載のカーステレオ装置は、楽曲データ記憶済みのディスクを認識することはできるが、認識結果の利用方法は、楽曲データ記憶済みのディスクのデータをディスプレイに表示するなどの利用者への報知にとどまっていた。したがって、利用者は、記憶済みのディスクを交換する場合に、自らディスクを取り出さなければならない。このような場合、誤って楽曲データ記憶済みディスク以外のディスクが取り出されてしまうなど、ディスクチェンジャーにおける楽曲データ記億済みディスクの認識処理が利用者への利便性向上につながらないという問題が一例として挙げられる。
【課題を解決するための手段】
【０００５】
上述した課題を解決し、目的を達成するため、請求項１の発明にかかる情報記憶装置は、記録媒体から取得されたコンテンツ情報および当該記録媒体の識別情報を記憶する記憶手段を備える情報記憶装置であって、複数の記録媒体を装填するとともに、装填した複数の記録媒体のうちの一の記録媒体に記録されているコンテンツ情報を読み出す読み出し装置を制御する制御手段を備え、前記制御手段は、前記読み出し装置に装填されている記録媒体からコンテンツ情報を読み出す場合に、さらに、当該装填されている記録媒体の識別情報を取得し、取得した識別情報が前記記憶手段に既に記憶されている識別情報と同一である場合には、当該取得した識別情報に対応する記録媒体を前記読み出し装置から排出するように前記読み出し装置を制御することを特徴とする。
【０００６】
また、請求項３の発明にかかる記憶制御方法は、記録媒体から取得されたコンテンツ情報および当該記録媒体の識別情報を記憶する記憶手段を備える情報記憶装置における記憶制御方法であって、複数の記録媒体が装填された読み出し装置が前記装填されて複数の記録媒体のうちの一の記録媒体に記録されているコンテンツ情報を読み出す際に、前記記録媒体の識別情報を取得する取得工程と、前記取得工程で取得された識別情報が前記記憶手段に既に記憶されている識別情報と同一である場合には、当該取得した識別情報に対応する記録媒体を前記読み出し装置から排出する排出工程と、を含むことを特徴とする。
【０００７】
また、請求項４に記載の記憶制御プログラムは、請求項３に記載の記憶制御方法をコンピュータに実行させることを特徴とする。
【０００８】
また、請求項５に記載の記録媒体は、請求項４に記載の記憶制御プログラムをコンピュータに読み取り可能に記録したことを特徴とする。
【発明を実施するための最良の形態】
【０００９】
以下に添付図面を参照して、この発明にかかる情報記憶装置、記憶制御方法、記憶制御プログラムおよび記録媒体の好適な実施の形態を詳細に説明する。
【００１０】
（情報記憶装置の機能的構成）
まず、本実施の形態にかかる情報記憶装置の機能的構成について説明する。図１は、本実施の形態にかかる情報記憶装置の機能的構成の一例を示すブロック図である。図１において、情報記憶装置１００は、読み出し装置１０１と、制御部１０２と、記憶部１０３と、を含んで構成される。
【００１１】
読み出し装置１０１は、複数の記録媒体１０４を装填するとともに、装填した複数の記録媒体１０４のうちの一の記録媒体１０４に記録されているコンテンツ情報を読み出す。読み出し装置１０１は、具体的にはディスクチェンジャーとして広く利用されている装置によって実現される。また、記録媒体１０４には、コンテンツ、具体的にはコンテンツ自体のデータを構成するコンテンツ情報と、記録媒体１０４の識別情報とがあわせて記録されている。
【００１２】
ここで、識別情報とは、記録媒体１０４を他の記録媒体１０４と識別するためのユニークな情報である。具体的には、たとえば、ＣＤ（Ｃｏｍｐａｃｔ  Ｄｉｓｋ）に含まれているＴＯＣ（Ｔａｂｌｅ  Ｏｆ  Ｃｏｎｔｅｎｔｓ）情報などが挙げられる。
【００１３】
なお、読み出し装置１０１は、情報記憶装置１００に内蔵された装置であってもよいが、情報記憶装置１００外部の独立した装置であってもよい。また、読み出し装置１０１は、後述の制御部１０２によって制御されるが、この際の制御部１０２からの制御指示の入力も、有線／無線を問わず、情報記憶装置１００と読み出し装置１０１との構成から最適な手法を用いることができる。
【００１４】
制御部１０２は、読み出し装置１０１を制御する。具体的には、読み出し装置１０１に装填されている記録媒体１０４からコンテンツ情報を取得する場合に、当該装填されている記録媒体１０１の識別情報を取得する。
【００１５】
さらに、制御部１０２は、取得した識別情報が記憶部１０３に既に記憶されている識別情報と同一であるか否かを判断する。取得した識別情報が既に記憶されている識別情報と同一である場合は、取得した識別情報に対応する記録媒体１０４を読み出し装置１０１から排出するように読み出し装置１０１を制御する。
【００１６】
また、制御部１０２は、取得した識別情報が記憶部１０３に既に記憶されている識別情報と異なる場合は、取得した識別情報に対応する記録媒体１０４からコンテンツ情報を読み出し、読み出したコンテンツ情報および記録媒体１０４の識別情報を記憶部１０３に記憶させるよう読み出し装置１０１を制御する。
【００１７】
記憶部１０３は、記録媒体１０１から読み出されたコンテンツ情報および当該記録媒体の識別情報として取得された識別情報を記憶する。なお、記憶部１０３には、大容量のデータを記憶させることができる。また、記憶部１０３に記憶されたデータは高速な読み出しが可能である。
【００１８】
（情報記憶装置の処理の内容）
つぎに、情報記憶装置の処理の内容について説明する。図２は、情報記憶装置の処理の内容の一例を示すフローチャートである。図２のフローチャートにおいて、まず、読み出し装置１０１に記録媒体１０４が装填されているか否かを判断する（ステップＳ２０１）。ここで、記録媒体１０４が装填されるまで待ち（ステップＳ２０１：Ｎｏのループ）、記録媒体１０４が装填されると（ステップＳ２０１：Ｙｅｓ）、装填された記録媒体１０４に記録されているコンテンツを記憶部１０３によって記憶するか否かを判断する（ステップＳ２０２）。
【００１９】
ステップＳ２０２において、コンテンツを記憶するか否かの判断は、利用者または上位プログラムから受け付けた指示内容に応じておこなわれる。ここで、受け付けた指示内容に応じてコンテンツを記憶しないと判断された場合は（ステップＳ２０２：Ｎｏ）、そのまま一連の処理を終了する。一方、コンテンツを記憶すると判断された場合は（ステップＳ２０２：Ｙｅｓ）、続いて、読み出し装置１０１によって記録媒体１０４からコンテンツ情報を読み出す（ステップＳ２０３）。
【００２０】
コンテンツ情報を読み出すと、続いて、読み出し装置１０１によって記録媒体１０４から識別情報を取得し（ステップＳ２０４）、取得した識別情報が記憶部１０３に記憶済みの識別情報であるか（同一であるか）否かを判断する（ステップＳ２０５）。
【００２１】
ステップＳ２０５において、取得した識別情報が記憶部１０３に記憶済みの識別情報ではなかった場合は（ステップＳ２０５：Ｎｏ）、ステップＳ２０３で読み出したコンテンツ情報およびステップＳ２０４で取得した識別情報を記憶部１０３に記憶し（ステップＳ２０６）、一連の処理を終了する。
【００２２】
一方、ステップＳ２０５において、取得した識別情報が記憶部１０３に記憶済みの識別情報であった場合は（ステップＳ２０５：Ｙｅｓ）、識別情報が示す記録媒体１０４を読み出し装置１０１から排出し（ステップＳ２０７）、一連の処理を終了する。
【００２３】
以上説明したように、この発明の実施の形態にかかる情報記憶装置１００は、記録媒体１０４を読み出す際に、識別情報を取得することで、読み出したコンテンツ情報が記憶部１０３に記憶済みであるか否かを判断することができる。さらに、制御部１０２は、読み出したコンテンツ情報が記憶部１０３に記憶済みであるか否かの判断結果に応じて自動的に記録媒体１０４を読み出し装置１０１から排出させる。したがって、記憶済みの記録媒体１０４を確実に取り出すことが可能な、利便性の高い情報記憶装置１００を提供することができる。
【実施例】
【００２４】
つぎに、本発明の実施の形態にかかる実施例について詳細に説明する。ここでは、この実施の形態にかかる情報記憶装置を、たとえば車両などの移動体や携帯型電話機などの可搬型端末への搭載も可能なオーディオ装置に適用する。具体的には、たとえば、利用者が車両に搭乗して目的地へ向かうまでの時間を利用して、持参した光ディスクをオーディオ装置の磁気ディスクに記憶させるような場合を説明する。
【００２５】
（オーディオ装置のハードウェア構成）
まず、本発明の実施例にかかるオーディオ装置３００のハードウェア構成について説明する。図３は、本発明の実施例にかかるオーディオ装置のハードウェア構成の一例を示すブロック図である。図３において、オーディオ装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、マイク３０９と、スピーカ３１０と、入力デバイス３１１と、映像Ｉ／Ｆ（インターフェース）３１２と、ディスプレイ３１３と、通信Ｉ／Ｆ（インターフェース）３１４と、を備えている。なお、各構成部３０１〜３１４はバス３２０によってそれぞれ接続されている。
【００２６】
まず、ＣＰＵ３０１は、オーディオ装置３００の全体の制御を司る。ＲＯＭ３０２は、たとえばブートプログラム、通信プログラム、データベース作成プログラム、データ解析プログラム、記憶制御プログラムなどの各種プログラムを記録している。
【００２７】
記憶制御プログラムは、後述する光ディスク３０７に記録されているコンテンツの中から磁気ディスク３０５に記憶されていないコンテンツを検出させ、検出させたコンテンツを磁気ディスク３０５に記憶させる。また、記憶制御プログラムは、光ディスク３０７に記録されているコンテンツの記憶が終了すると、光ディスク３０７を光ディスクドライブ３０６から自動的に排出させる。
【００２８】
また、記憶制御プログラムは、後述する光ディスクドライブ３０６に複数の光ディスク３０７が接続されている場合には、記憶が終了した光ディスク３０７から順番に光ディスクドライブ３０６から排出させる。なお、記憶制御プログラムの詳細な処理については、後ほど詳しく説明する。
【００２９】
ＲＡＭ３０３は、たとえばＣＰＵ３０１のワークエリアとして使用される。
【００３０】
磁気ディスクドライブ３０４は、ＣＰＵ３０１の制御にしたがって磁気ディスク３０５に対するデータのリード／ライトを制御する。磁気ディスク３０５は、磁気ディスクドライブ３０４の制御で書き込まれたデータを記憶する。磁気ディスク３０５としては、具体的には、たとえば、ＨＤ（ハードディスク）やＦＤ（フレキシブルディスク）を用いることができる。また、磁気ディスク３０５には、記憶制御プログラムによって読み出されたコンテンツ情報と光ディスク３０７の識別情報とが共に記憶されている。
【００３１】
光ディスクドライブ３０６は、ＣＰＵ３０１の制御にしたがって光ディスク３０７に対するデータのリード／ライトを制御する。光ディスク３０７は、光ディスクドライブ３０６の制御にしたがって記録されているデータが読み出される記録媒体である。
【００３２】
また、光ディスクドライブ３０６は、複数枚の光ディスク３０７を装填し制御することができる。なお、光ディスクドライブ３０６に装填されている光ディスク３０７は、ＣＰＵ３０１によって一時的に通し番号が付与される。具体的には、Ｎ枚の光ディスク３０７が装填されている場合には、装填位置に応じて右（または左から）光ディスク（１）３０７〜光ディスク（Ｎ）３０７というように、通し番号が付与される。
【００３３】
また、光ディスク３０７は、光ディスクドライブ３０６の制御にしたがって光ディスクドライブ３０６から排出される。この光ディスク３０７としては、書き込み可能な記録媒体を利用することもできる。また、着脱可能な記録媒体として、光ディスク３０７のほか、ＭＯ、メモリカードなどを用いることもできる。
【００３４】
なお、光ディスク３０７に格納されている情報の一例として、コンテンツ情報が挙げられる。なお、光ディスク３０７には、各コンテンツの実際の楽曲データや映像データ、すなわちコンテンツ情報の他に当該コンテンツ情報が記録されていた光ディスク３０７の識別情報があわせて記録されている。光ディスクドライブ３０６は、コンテンツ情報を読み出す際は、識別情報もあわせて読み出している。
【００３５】
音声Ｉ／Ｆ３０８は、音声入力用のマイク３０９および音声出力用のスピーカ３１０に接続される。マイク３０９に受音された音声は、音声Ｉ／Ｆ３０８内でＡ／Ｄ変換される。なお、スピーカ３１０は、車両の内部だけでなく、車両の外部に設けられていてもよい。このスピーカ３１０からは、音声Ｉ／Ｆ３０８からの音声信号に基づく音声が出力される。また、マイク３０９から入力された音声は、たとえば音声データとして磁気ディスク３０５などに記憶可能である。
【００３６】
入力デバイス３１１は、文字、数値、各種指示などの入力のための複数のキーを備えたリモコン、キーボード、マウス、タッチパネルなどが挙げられる。
【００３７】
映像Ｉ／Ｆ３１２は、ディスプレイ３１３と接続される。この映像Ｉ／Ｆ３１２は、具体的には、たとえば、ディスプレイ３１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１３を表示制御する制御ＩＣなどによって構成される。
【００３８】
ディスプレイ３１３には、アイコン、カーソル、メニュー、ウインドウ、あるいは文字や画像などの各種データが表示される。このディスプレイ３１３としては、たとえば、ＣＲＴ、ＴＦＴ液晶ディスプレイ、プラズマディスプレイなどを採用することができる。
【００３９】
また、通信Ｉ／Ｆ３１４は、無線を介してネットワークに接続され、オーディオ装置３００とＣＰＵ３０１とのインターフェースとして機能する。通信Ｉ／Ｆ３１４は、さらに、無線を介してインターネットなどの通信網に接続され、この通信網とＣＰＵ３０１とのインターフェースとしても機能する。
【００４０】
ネットワークには、ＬＡＮ、ＷＡＮ、公衆回線網や携帯電話網などがある。具体的には、通信Ｉ／Ｆ３１４は、たとえば、ＦＭチューナー、無線オーディオ装置、およびその他のオーディオ装置によって構成され、音楽配信サイトなどからコンテンツのデータを取得して磁気ディスク３０５に記憶することもできる。
【００４１】
なお、図１に示した実施の形態にかかる情報記憶装置１００の機能的構成である読み出し装置１０１は、具体的には、たとえばＣＰＵ３０１および光ディスクドライブ３０６によってその機能を実現する。また、制御部１０２は、具体的には、たとえばＣＰＵ３０１、ＲＯＭ３０２およびＲＡＭ３０３によってその機能を実現する。また、記憶部１０３は具体的には、たとえばＣＰＵ３０１、磁気ディスクドライブ３０４および磁気ディスク３０５によってその機能を実現する。また、記録媒体１０４の機能は、光ディスク３０７の機能に相当する。
【００４２】
（オーディオ装置の記憶制御処理の内容）
つぎに、オーディオ装置３００の記憶制御処理の内容を説明する。図４は、オーディオ装置の記憶制御処理の内容を示すフローチャートである。図４のフローチャートにおいて、まず、変数Ｎを１に設定する（ステップＳ４０１）。
【００４３】
上述したように、光ディスクドライブ３０６に装填されている光ディスク３０７には、一時的な通し番号が付与されている。したがって、この通し番号に基づいて、光ディスクドライブ３０６に装填されている光ディスク３０７のうちＮ番に相当する光ディスク（Ｎ）３０７を読み出し（ステップＳ４０２）、読み出した光ディスク（Ｎ）３０７に記録されているコンテンツを記憶するか否かを判断する（ステップＳ４０３）。
【００４４】
ステップＳ４０３におけるコンテンツを記憶するか否かの判断は、利用者または上位プログラムから受け付けた指示内容に応じておこなわれる。具体的には、利用者から指示を受け付ける場合には、ディスプレイ３１３やスピーカ３１０を用いてコンテンツを記憶するか否かの判断を仰ぐ旨の報知をおこない、入力デバイス３１１から指示入力を受け付ける。また、上位プログラムから指示を受け付ける場合には、記憶制御プログラムにおいてあらかじめ設定された指示入力の内容を参照する。
【００４５】
ステップＳ４０３において、コンテンツを記憶すると判断された場合は（ステップＳ４０３：Ｙｅｓ）、つぎに、光ディスク（Ｎ）３０７に未記憶のコンテンツがあるか否かを判断する（ステップＳ４０４）。未記憶のコンテンツとは、光ディスク（Ｎ）３０７に記録されているコンテンツのうち、コンテンツ情報が磁気ディスク３０５に記憶されていないコンテンツを意味する。
【００４６】
ステップＳ４０４において、未記憶のコンテンツがあると判断された場合（ステップＳ４０４：Ｙｅｓ）、さらに、光ディスク（Ｎ）３０７に記憶不要のコンテンツがあるか否かを判断する（ステップＳ４０５）。記憶不要のコンテンツとは、光ディスク（Ｎ）３０７に記録されているコンテンツのうち、コンテンツ情報を磁気ディスク３０５に記憶する必要がないと指定されたコンテンツを意味する。
【００４７】
記憶不要のコンテンツは、あらかじめ指定しておいてもよいし、コンテンツの記憶制御処理をおこなうたびに利用者に指定させてもよい。また記憶不要のコンテンツを指定する際の手法としては、コンテンツを個別に指定してもよいし、アーティストやジャンルなど、あらかじめ定めた指定条件に該当するコンテンツを記憶不要のコンテンツに指定するように設定しておいてもよい。
【００４８】
ステップＳ４０５において、記憶不要のコンテンツがあると判断された場合は（ステップＳ４０５：Ｙｅｓ）、光ディスク（Ｎ）３０７から記憶不要のコンテンツ以外の未記憶のコンテンツ情報を読み出す（ステップＳ４０６）。
【００４９】
一方、ステップＳ４０５において、記憶不要のコンテンツがないと判断された場合は（ステップＳ４０５：Ｎｏ）、光ディスク（Ｎ）３０７から未記憶のコンテンツ情報を読み出す（ステップＳ４０７）。
【００５０】
そして、ステップＳ４０６またはステップＳ４０７によって読み出されたコンテンツ情報を磁気ディスク３０５に記憶する（ステップＳ４０８）。また、ステップＳ４０８のコンテンツ情報の記憶処理では、上述したように、光ディスク（Ｎ）３０７の識別情報があわせて記憶されている。
【００５１】
つぎに、光ディスク（Ｎ）３０７の記憶対象となる全コンテンツが記憶済みか否かを判断する（ステップＳ４０９）。このステップＳ４０９において、全コンテンツが記憶済みか否かを判断するには、光ディスク（Ｎ）３０７の記憶対象となる全コンテンツと、磁気ディスク３０５に記憶されているコンテンツ情報および識別情報とを比較し、同一内容のコンテンツ情報が記憶済みであるか否かを判断する。このような判断を全コンテンツに対しておこなうことで、全コンテンツが記憶済みか否かを判断する。
【００５２】
ステップＳ４０９において、全コンテンツが記憶済みであると判断されるまで、ステップＳ４０８の記憶処理を繰り返し（ステップＳ４０９：Ｎｏのループ）、全コンテンツが記憶済みであると判断されると（ステップＳ４０９：Ｙｅｓ）、光ディスク（Ｎ）３０７は、光ディスクドライブ３０６から排出される（ステップＳ４１０）。
【００５３】
また、ステップＳ４０３においてコンテンツを記憶しないと判断された場合（ステップＳ４０３：Ｎｏ）や、ステップＳ４０４において未記録のコンテンツがないと判断された場合（ステップＳ４０４：Ｎｏ）にも、光ディスク（Ｎ）３０７は、光ディスクドライブ３０６から排出される（ステップＳ４１０）。
【００５４】
つぎに、光ディスクドライブ３０６に装填された全光ディスク３０７がステップＳ４０８の記憶処理済みであるか否かを判断する（ステップＳ４１１）。このステップＳ４１１においても、ステップＳ４０９の処理と同様に、光ディスク（Ｎ）３０７の識別情報と、磁気ディスク３０５に記憶されている識別情報とを比較することで、全光ディスク３０７が記憶処理済みであるか否かを判断する。
【００５５】
ステップＳ４１１において、全光ディスク３０７が記憶処理済みではない、すなわち未記憶のコンテンツが含まれた光ディスク３０７があると判断された場合（ステップＳ４１１：Ｎｏ）、変数Ｎをインクリメントして（ステップＳ４１２）、ステップＳ４０２に戻り、あらたな光ディスク（Ｎ）３０７に対して記憶制御処理（ステップＳ４０２〜ステップＳ４１０）をおこなう。
【００５６】
上述したステップＳ４０２〜ステップＳ４１２の処理を繰り返し、光ディスクドライブ３０６に装填された全光ディスク（１〜Ｎ）３０７がステップＳ４０８の記憶処理済みであると判断されると（ステップＳ４１１：Ｙｅｓ）、一連の記憶制御処理を終了する。
【００５７】
つぎに、図４のオーディオ装置３００の記憶制御処理において記載した光ディスクドライブ３０６による光ディスク３０７の排出について図５を用いて説明する。図５は、光ディスクドライバによる光ディスクの排出の一例を示す説明図である。
【００５８】
図５のように、オーディオ装置３００のディスプレイ３１３は、記憶制御プログラムの記憶制御処理に応じて、光ディスクドライブ３０６に装填されている光ディスク３０７の記憶状況を報知する。また、光ディスクドライブ３０６は、記憶制御プログラムの処理に応じて自動的に光ディスク３０７を排出する。
【００５９】
図５の例では、ディスプレイ３１３に表示されているようにＤＩＳＫ１およびＤＩＳＫ２が「記憶済み」の状態であるため、光ディスクドライブ３０６からは、まず、光ディスク（ＤＩＳＫ１）３０７が排出される。排出された光ディスク（ＤＩＳＫ１）３０７が取り除かれると、続いて、光ディスク（ＤＩＳＫ２）３０７が排出される。このように、「記憶済み」の状態の光ディスク３０７が複数装填されている場合は、すべての「記憶済み」の状態の光ディスク３０７が取り除かれるまで光ディスクドライブ３０６からの排出がおこなわれる。
【００６０】
つぎに、図４のオーディオ装置３００の記憶制御処理において記載した記憶不要のコンテンツの設定の手法について図６を用いて説明する。図６は、記憶不要のコンテンツの設定の手法の一例を示す説明図である。
【００６１】
図６には、利用者によって記憶不要のコンテンツを個別に設定する際のディスプレイ３１３の表示画面６００が例示されている。表示画面６００に示すように、記憶不要のコンテンツを個別に設定する際には、光ディスク（ＤＩＳＫ１）３０７の通し番号とタイトル６０１、そして光ディスク（ＤＩＳＫ１）３０７に記録されているコンテンツのタイトル一覧６０２が表示される。
【００６２】
利用者は、タイトル一覧６０２から記憶不要のコンテンツのタイトル６０３を選択する。選択されたタイトル６０３は、自動的に記憶不要のコンテンツとして設定される。記憶制御プログラムは、設定された記憶不要のコンテンツを考慮して記憶制御処理をおこなう。
【００６３】
以上説明したように、情報記憶装置、記憶制御方法、記憶制御プログラムおよび記録媒体によれば、記憶済みの記録媒体１０４を確実に取り出すことができる。したがって、利用者にとって利便性が高く利用しやすいという効果を奏する。
【００６４】
なお、本実施の形態で説明した記憶制御方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００６５】
【図１】本実施の形態にかかる情報記憶装置の機能的構成の一例を示すブロック図である。
【図２】情報記憶装置の処理の内容の一例を示すフローチャートである。
【図３】本発明の実施例にかかるオーディオ装置のハードウェア構成の一例を示すブロック図である。
【図４】オーディオ装置の記憶制御処理の内容を示すフローチャートである。
【図５】光ディスクドライバによる光ディスクの排出を示す説明図である。
【図６】記憶不要のコンテンツの設定の手法の一例を示す説明図である。
【符号の説明】
【００６６】
１００  情報記憶装置
１０１  読み出し装置
１０２  制御部
１０３  記憶部
１０４  記録媒体
【図１】
2007280532.tif 000003
【図２】
2007280532.tif 000004
【図３】
2007280532.tif 000005
【図４】
2007280532.tif 000006
【図５】
2007280532.tif 000007
【図６】
2007280532.tif 000008